【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
各遊技機に対応して配置され、遊技媒体の計数を行なう複数の遊技用装置と、該複数の遊技用装置の各々と通信が可能な管理装置とを備えた遊技用システムであって、
前記複数の遊技用装置は複数のグループに分けられており、前記遊技用装置は、計数値を特定可能な情報が記録された遊技用記録媒体を発行する記録媒体ユニット部と、前記記録媒体ユニット部に連結され、遊技媒体を計数するために受入れ可能な遊技媒体受入部と、を含み、
前記管理装置は、
前記遊技用装置がいずれのグループに属するかを記憶する所属グループ記憶手段と、
前記遊技用装置から該遊技用装置が属するグループと同じグループに属する他の遊技用装置の前記遊技媒体受入部を取外し可能な状態である取外し可能状態にするためのグループ内解除要求を受付けるグループ内解除要求受付手段と、
該グループ内解除要求受付手段がグループ内解除要求を受付けたことを条件として、該グループ内解除要求の受付け元の前記遊技用装置が属するグループを特定するとともに、該グループに属する他の遊技用装置を前記所属グループ記憶手段の記憶に基づいて特定する特定処理を行なう解除対象遊技用装置特定手段と、
該解除対象遊技用装置特定手段により特定された該グループに属する他の前記遊技用装置の各々に対し、前記取外し可能状態にするためのグループ内解除信号を送信する解除信号送信手段と、を含み、
前記遊技用装置は、さらに、
前記グループ内解除信号を受信するための解除信号受信手段と、
該解除信号受信手段が前記グループ内解除信号を受信したことに基づいて、前記取外し可能状態にする制御を行なう解除制御手段とを、含むことを特徴とする、遊技用システム。
【請求項２】
各遊技機に対応して配置され、遊技媒体の計数を行なう複数の遊技用装置を備え、該複数の遊技用装置は複数のグループに分けられており、各々の間において通信可能な遊技用システムであって、
前記遊技用装置は、
計数値を特定可能な情報が記録された遊技用記録媒体を発行する記録媒体ユニット部と、
前記記録媒体ユニット部に連結され、遊技媒体を計数するために受入れ可能な遊技媒体受入部と、
当該遊技用装置がいずれのグループに属しているのかを特定する情報であるグループ特定情報を記憶するグループ特定情報記憶手段と、
当該遊技用装置が属しているグループと同じグループに属している遊技用装置の前記遊技媒体受入部を取外し可能な状態である取外し可能状態にするためのグループ内解除要求を受付ける解除要求受付手段と、
該解除要求受付手段により前記グループ内解除要求が受付けられたことに基づいて、前記グループ特定情報記憶手段に記憶されているグループ特定情報を含む解除要求を出力する処理を行なう解除要求出力手段と、
該解除要求出力手段により出力された前記解除要求を受信する解除要求受信手段と、
該解除要求受信手段により前記解除要求が受信されたことに基づいて、該解除要求に含まれている前記グループ特定情報と前記グループ特定情報記憶手段に記憶されている前記グループ特定情報とが一致するか否かを判定するグループ特定情報判定手段と、
該グループ特定情報判定手段により一致するとの判定が行なわれたことに基づいて、前記取外し可能状態にする制御を行なう解除制御手段とを、含むことを特徴とする、遊技用システム。
【請求項３】
各遊技機に対応して配置され、遊技媒体の計数を行なう遊技用装置であって、
計数値を特定可能な情報が記録された遊技用記録媒体を発行する記録媒体ユニット部と、
前記記録媒体ユニット部に連結され、遊技媒体を計数するために受入れ可能な遊技媒体受入部と、
当該遊技用装置の属しているグループを特定する情報であるグループ特定情報を記憶するグループ特定情報記憶手段と、
当該遊技用装置が属しているグループと同じグループに属している遊技用装置の前記遊技媒体受入部を取外し可能な状態である取外し可能状態にするためのグループ内解除要求を受付ける解除要求受付手段と、
該解除要求受付手段により前記グループ内解除要求が受付けられたことに基づいて、前記グループ特定情報記憶手段に記憶されているグループ特定情報を含む解除要求を出力する処理を行なう解除要求出力手段と、
該解除要求出力手段により出力された前記解除要求を受信する解除要求受信手段と、
該解除要求受信手段により前記解除要求が受信されたことに基づいて、該解除要求に含まれている前記グループ特定情報と前記グループ特定情報記憶手段に記憶されている前記グループ特定情報とが一致するか否かを判定するグループ特定情報判定手段と、
該グループ特定情報判定手段により一致するとの判定が行なわれたことに基づいて、前記取外し可能状態にする制御を行なう解除制御手段とを、含むことを特徴とする、遊技用装置。
【手続補正２】
【補正対象書類名】明細書
【補正対象項目名】０００８
【補正方法】変更
【補正の内容】
【０００８】
（１）  各遊技機（たとえば、パチンコ機２）に対応して配置され、遊技媒体の計数を行なう複数の遊技用装置（たとえば、カードユニット３）と、該複数の遊技用装置の各々と通信が可能な管理装置（たとえば、システムコントローラ１１００）とを備えた遊技用システムであって、
前記複数の遊技用装置は複数のグループに分けられており、前記遊技用装置は、計数値を特定可能な情報が記録された遊技用記録媒体（たとえば、ビジターカード、会員カード）を発行する記録媒体ユニット部（たとえば、上部ユニット３ａと下部ユニット３ｂ）と、前記記録媒体ユニット部に連結され、遊技媒体を計数するために受入れ可能な遊技媒体受入部（たとえば、玉受皿ユニット４）と、を含み、
前記管理装置は、
前記遊技用装置がいずれのグループに属するかを記憶する所属グループ記憶手段（たとえば、店内装置構成テーブルＸを記憶している記憶装置１１０５）と、
前記遊技用装置から該遊技用装置が属するグループと同じグループに属する他の遊技用装置の前記遊技媒体受入部を取外し可能な状態である取外し可能状態にするためのグループ内解除要求を受付けるグループ内解除要求受付手段（たとえば、通信部１１０９）と、
該グループ内解除要求受付手段がグループ内解除要求を受付けたことを条件として（たとえば、図２７と図４０（ｂ）のＳ１とＳ２でＹＥＳ）、該グループ内解除要求の受付け元の前記遊技用装置が属するグループを特定するとともに、該グループに属する他の遊技用装置を前記所属グループ記憶手段の記憶に基づいて特定する特定処理を行なう解除対象遊技用装置特定手段（たとえば、図２７のＳ３、Ｓ４、図４０（ｂ）のＳ６）と、
該解除対象遊技用装置特定手段により特定された該グループに属する他の前記遊技用装置の各々に対し、前記取外し可能状態にするためのグループ内解除信号を送信する解除信号送信手段（たとえば、図２７のＳ４、図４０（ｂ）のＳ６）と、を含み、
前記遊技用装置は、さらに、
前記グループ内解除信号を受信するための解除信号受信手段（たとえば、図２５のＳＸ２０２、図３９のＳＸ２２０）と、
該解除信号受信手段が前記グループ内解除信号を受信したことに基づいて、前記取外し可能状態にする制御を行なう解除制御手段（たとえば、図２５と図３９のＳＸ２２１〜ＳＸ２２４、ＳＸ２３１）とを、含むことを特徴とする。
【手続補正３】
【補正対象書類名】明細書
【補正対象項目名】０００９
【補正方法】変更
【補正の内容】
【０００９】
このような構成によれば、あるグループに属する複数の遊技用装置に亘って遊技媒体受入部を取外すにおいて、遊技場の係員は、そのグループに属している遊技用装置からグループ内解除要求を管理装置に送信することにより、そのグループ内に属する複数の遊技用装置における遊技媒体受入部が取外し可能状態となり、複数の遊技用装置に亘って遊技媒体受入部を取外す作業が容易となる。
【手続補正４】
【補正対象書類名】明細書
【補正対象項目名】００１０
【補正方法】変更
【補正の内容】
【００１０】
（２）  上記（１）の遊技用システムにおいて、
前記遊技用装置は、
遊技用装置を個々に識別するための遊技用装置識別情報（たとえば、装置ＩＤ）を記憶する識別情報記憶手段（たとえば、ＥＥＰＲＯＭ３２８ｃ）と、
グループ内解除要求の操作を受付ける解除要求受付手段（たとえば、ＩＲ感光ユニット３１５）と、
該解除要求受付手段によりグループ内解除要求の操作が受付けられたときに（たとえば、図２５とにおいて、ＳＸ２１２でＹＥＳ、ＳＸ２１５ａでＮＯ）、前記識別情報記憶手段に記憶されている遊技用装置識別情報を含むグループ内解除要求を前記管理装置に送信する解除要求送信手段（たとえば、図２５のＳＸ２１７）と、を含み、
前記解除対象遊技用装置特定手段は、前記解除要求送信手段から送信されてきたグループ内解除要求に含まれている遊技用装置識別情報に基づいて前記特定処理を行なう（たとえば、図２７のＳ３）ことを特徴とする。
【手続補正５】
【補正対象書類名】明細書
【補正対象項目名】００１１
【補正方法】変更
【補正の内容】
【００１１】
このような構成によれば、グループ内解除要求を管理装置に送信するには、遊技場の係員が当該グループに属する遊技用装置に対してグループ内解除要求の操作を行なうことにより達成できるために、遊技場の係員は遊技場にいながらにして解除の指示ができ、解除作業時の利便性が向上する。
【手続補正６】
【補正対象書類名】明細書
【補正対象項目名】００１２
【補正方法】変更
【補正の内容】
【００１２】
（３）  上記（１）の遊技用システムにおいて、
前記遊技用装置は、
当該遊技用装置の属しているグループを特定する情報であるグループ特定情報を記憶するグループ特定情報記憶手段（たとえば、図３２のＳ１０７により玉受皿解除グループを記憶するＲＡＭ３２８ｂ）と、
グループ内解除要求の操作を受付ける解除要求受付手段（たとえば、ＩＲ感光ユニット３１５）と、
該解除要求受付手段によりグループ内解除要求の操作が受付けられたときに、前記グループ特定情報記憶手段に記憶されているグループ特定情報を読出し、該読出したグループ特定情報を含むグループ内解除要求を前記管理装置に送信する解除要求送信手段（たとえば、図４０（ａ）のＳＸ３１７）と、を含み、
前記解除対象遊技用装置特定手段は、前記解除要求送信手段から送信されてきたグループ内解除要求に含まれているグループ特定情報に基づいて前記特定処理を行なう（たとえば、図４０（ｂ）のＳ６）ことを特徴とする。
【手続補正７】
【補正対象書類名】明細書
【補正対象項目名】００１３
【補正方法】変更
【補正の内容】
【００１３】
このような構成によれば、遊技用装置が当該遊技用装置の属しているグループを特定する情報であるグループ特定情報を記憶しており、遊技用装置がグループ内解除要求にそのグループ特定情報を含めて管理装置に送信するために、それを受けた管理装置においては、グループ内解除要求元の遊技用装置が属するグループをそのグループ特定情報から直接特定することができ、管理装置の特定処理の負担を軽減することができる。
【手続補正８】
【補正対象書類名】明細書
【補正対象項目名】００１４
【補正方法】変更
【補正の内容】
【００１４】
（４）  上記（３）の遊技用システムにおいて、
前記解除要求送信手段は、前記管理装置との通信が不能なときに（たとえば、図４０（ａ）のＳＸ２５０でＹＥＳ）、前記グループ特定情報記憶手段に記憶されているグループ特定情報を含む解除要求を前記管理装置を経由することなく他の遊技用装置に送信し（たとえば、図４０（ａ）のＳＸ２１７ａ）、
前記遊技用装置は、さらに、
解除要求を他の遊技用装置から受信したときに、当該解除要求に含まれるグループ特定情報と前記グループ特定情報記憶手段に記憶されているグループ特定情報とが一致するか否かを判定するグループ特定情報判定手段（たとえば、図３９のＳＸ２１９）を含み、
該グループ特定情報判定手段により一致するとの判定が行なわれたことに基づいて、前記解除制御手段による解除制御を実行する（たとえば、図３９のＳＸ２２１〜ＳＸ２２４、ＳＸ２３１）ことを特徴とする。
【手続補正９】
【補正対象書類名】明細書
【補正対象項目名】００１５
【補正方法】変更
【補正の内容】
【００１５】
このような構成によれば、遊技用装置が当該遊技用装置の属しているグループを特定する情報であるグループ特定情報を記憶しており、管理装置との通信が不能なときに、その記憶しているグループ特定情報を含む解除要求を管理装置を経由することなく他の遊技用装置に送信し、他の遊技用装置では、その解除要求を受信したときに当該解除要求に含まれるグループ特定情報と当該他の遊技用装置が記憶しているグループ特定情報とが一致するか否か判定して、一致すると判定されたことに基づいて解除制御が実行されるために、遊技用装置と管理装置との通信が不能なときにおいても解除制御を行なうことができる。
【手続補正１０】
【補正対象書類名】明細書
【補正対象項目名】００１６
【補正方法】変更
【補正の内容】
【００１６】
（５）  上記（３）または（４）の遊技用システムにおいて、
前記管理装置は、
前記複数の遊技用装置の各々についていずれのグループに属させるかの割振りをするためのグループ設定手段（たとえば、図２３に示した玉受皿解除グループ設定を行なう入力装置１１０６と表示装置１１０７）と、
前記複数の遊技用装置の各々との間における通信が確立されたことに基づいて、前記グループ設定手段により割振られたグループを特定可能なグループ特定情報を、当該各遊技用装置に対して送信するグループ特定情報送信手段（たとえば、図３２のＳ１０６）と、を含み、
前記所属グループ記憶手段は、前記グループ設定手段により割振りされた結果を記憶し（たとえば、店内装置構成テーブルＸを記憶装置１１５５が記憶する）、
前記遊技用装置は、前記グループ特定情報送信手段から送信されたグループ特定情報を受信するグループ特定情報受信手段（たとえば、図３２のＳ１０６で送信されてきた玉受皿解除グループＩＤを受信する通信部３３４）を含み、
前記グループ特定情報記憶手段は、前記グループ特定情報受信手段にて受信されたグループ特定情報を記憶する（たとえば、図３２のＳ１０７）ことを特徴とする。
【手続補正１１】
【補正対象書類名】明細書
【補正対象項目名】００１８
【補正方法】変更
【補正の内容】
【００１８】
（６）  各遊技機（たとえば、パチンコ機２）に対応して配置され、遊技媒体の計数を行なう複数の遊技用装置（たとえば、カードユニット３）を備え、該複数の遊技用装置は複数のグループに分けられており、各々の間において通信可能な遊技用システムであって、
前記遊技用装置は、
計数値を特定可能な情報が記録された遊技用記録媒体（たとえば、ビジターカード、会員カード）を発行する記録媒体ユニット部（たとえば、上部ユニット３ａと下部ユニット３ｂ）と、
前記記録媒体ユニット部に連結され、遊技媒体を計数するために受入れ可能な計数受入部（たとえば、玉受皿部３５）を有する遊技媒体受入部（たとえば、玉受皿ユニット４）と、
当該遊技用装置がいずれのグループに属しているのかを特定する情報であるグループ特定情報を記憶するグループ特定情報記憶手段（たとえば、図３２のＳ１０７により玉受皿解除グループを記憶するＲＡＭ３２８ｂ）
当該遊技用装置が属しているグループと同じグループに属している遊技用装置の前記遊技媒体受入部を取外し可能な状態である取外し可能状態にするためのグループ内解除要求を受付ける解除要求受付手段（たとえば、ＩＲ感光ユニット３１５）と、
該解除要求受付手段により前記グループ内解除要求が受付けられたことに基づいて（たとえば、図３３と図３７と図３９と図４０（ａ）において、ＳＸ２１２でＹＥＳ、ＳＸ２１５とＳＸ２１５ａでＮＯ）、前記グループ特定情報記憶手段に記憶されているグループ特定情報を含む解除要求を出力する処理を行なう解除要求出力手段（たとえば、図３３と図４０（ａ）のＳＸ２１７ａ、図３７のＳＸ２１７ｂ）と、
該解除要求出力手段により出力された前記解除要求を受信する解除要求受信手段（たとえば、図３３と図３７と図３９のＳＸ２０２ａ）と、
該解除要求受信手段により前記解除要求が受信されたことに基づいて、該解除要求に含まれている前記グループ特定情報と前記グループ特定情報記憶手段に記憶されている前記グループ特定情報とが一致するか否かを判定するグループ特定情報判定手段（たとえば、図３３と図３７と図３９のＳＸ２１９）と、
該グループ特定情報判定手段により一致するとの判定が行なわれたことに基づいて、前記取外し可能状態にする制御を行なう解除制御手段（たとえば、図３３と図３７と図３９のＳＸ２２１〜ＳＸ２２４、ＳＸ２３１）とを、含むことを特徴とする。
【手続補正１２】
【補正対象書類名】明細書
【補正対象項目名】００１９
【補正方法】変更
【補正の内容】
【００１９】
このような構成によれば、あるグループに属する複数の遊技用装置に亘って遊技媒体受入部を取外すにおいて、遊技場の係員は、そのグループに属している遊技用装置に対してグループ内解除要求の操作を行なうことにより、そのグループ内に属する複数の遊技用装置における遊技媒体受入部が取外し可能状態となり、複数の遊技用装置に亘って遊技媒体受入部を取外す作業が容易となる。
【手続補正１３】
【補正対象書類名】明細書
【補正対象項目名】００２０
【補正方法】変更
【補正の内容】
【００２０】
（７）  上記（６）の遊技用システムにおいて、
前記複数の遊技用装置の各々と通信が可能な管理装置（たとえば、システムコントローラ１１００）をさらに備え、
該管理装置は、
前記複数の遊技用装置の各々についていずれのグループに属させるかの割振りをするためのグループ設定手段（たとえば、図２３に示した玉受皿解除グループ設定を行なう入力装置１１０６と表示装置１０７）と、
前記複数の遊技用装置の各々との間における通信が確立されたことに基づいて、前記グループ設定手段により割振られたグループを特定可能なグループ特定情報を、当該各遊技用装置に対して送信するグループ特定情報送信手段（たとえば、図３２のＳ１０６）と、を含み、
前記遊技用装置は、前記グループ特定情報送信手段から送信されたグループ特定情報を受信するグループ特定情報受信手段（たとえば、図３２のＳ１０６で送信されてきた玉受皿解除グループＩＤを受信する通信部３３４）を含み、
前記グループ特定情報記憶手段は、前記グループ特定情報受信手段にて受信されたグループ特定情報を記憶する（たとえば、図３２のＳＸ１０７）ことを特徴とする。
【手続補正１４】
【補正対象書類名】明細書
【補正対象項目名】００２２
【補正方法】変更
【補正の内容】
【００２２】
（８）  上記（６）または（７）の遊技用システムにおいて、
前記解除要求受付手段は、当該遊技用装置の前記遊技媒体受入部のみを個別に前記取外し可能状態にするための個別解除要求の操作を受付け（たとえば、図２５と図３３と図３７と図３９のＳＸ２１５）、
前記解除制御手段は、前記解除要求受付手段により前記個別解除要求の操作が受付けられたことに基づいて、前記取外し可能状態にする制御を行なう（たとえば、図２５と図３３と図３７と図３９のＳＸ２２１〜ＳＸ２２４、ＳＸ２３１）ことを特徴とする。
【手続補正１５】
【補正対象書類名】明細書
【補正対象項目名】００２４
【補正方法】変更
【補正の内容】
【００２４】
（９）  上記（６）〜（８）のいずれかの遊技用システムにおいて、
前記解除要求受付手段は、解除要求者の識別用情報を受付け（たとえば、図２５と図３３と図３７と図３９のＳＸ２１１により暗証番号を受信し）、
前記遊技用装置は、
前記解除要求受付手段により受付けた識別用情報に基づいて認証を行なう認証手段（たとえば、図２５と図３３と図３７と図３９のＳＸ２１３）を含み、
該認証手段により適正であることの認証が行なわれたことを条件に、前記解除要求信号に従った制御を実行する（たとえば、図２５と図３３と図３７と図３９のＳＸ２１４でＹＥＳと判定されたことを条件にＳＸ２１５以降の制御を実行する）ことを特徴とする。
【手続補正１６】
【補正対象書類名】明細書
【補正対象項目名】００２５
【補正方法】変更
【補正の内容】
【００２５】
このような構成によれば、遊技用装置は、解除要求者の識別用情報を受付けてその識別用情報に基づいて認証を行ない、適正であることの認証が行なわれたことを条件に、解除要求に従った制御を実行するために、認証の結果不適正であると判定された解除要求者による解除要求信号に従った制御を阻止することができ、セキュリティを向上させることができる。
【手続補正１７】
【補正対象書類名】明細書
【補正対象項目名】００２６
【補正方法】変更
【補正の内容】
【００２６】
（１０）  各遊技機（たとえば、パチンコ機２）に対応して配置され、遊技媒体の計数を行なう遊技用装置（たとえば、カードユニット３）であって、
計数値を特定可能な情報が記録された遊技用記録媒体（たとえば、ビジターカード、会員カード）を発行する記録媒体ユニット部（たとえば、上部ユニット３ａと下部ユニット３ｂ）と、
前記記録媒体ユニット部に連結され、遊技媒体を計数するために受入れ可能な遊技媒体受入部（たとえば、玉受皿ユニット４）と、
当該遊技用装置の属しているグループを特定する情報であるグループ特定情報を記憶するグループ特定情報記憶手段（たとえば、図３２のＳ１０７により玉受皿解除グループを記憶するＲＡＭ３２８ｂ）と、
当該遊技用装置が属しているグループと同じグループに属している遊技用装置の前記遊技媒体受入部を取外し可能な状態である取外し可能状態にするためのグループ内解除要求を受付ける解除要求受付手段（たとえば、ＩＲ感光ユニット３１５）と、
該解除要求受付手段により前記グループ内解除要求が受付けられたことに基づいて（たとえば、図３３と図３７と図３９と図４２（ａ）において、ＳＸ２１２でＹＥＳ，ＳＸ２１５とＳＸ２１５ａでＮＯ）、前記グループ特定情報記憶手段に記憶されているグループ特定情報を含む解除要求を出力する処理を行なう解除要求出力手段（たとえば、図３３と図４０（ａ）のＳＸ２１７ａ、図３７のＳＸ２１７ｂ）と、
該解除要求出力手段により出力された前記解除要求を受信する解除要求受信手段（たとえば、図３３と図３７と図３９のＳＸ２０２ａ）と、
該解除要求受信手段により前記解除要求が受信されたことに基づいて、該解除要求に含まれている前記グループ特定情報と前記グループ特定情報記憶手段に記憶されている前記グループ特定情報とが一致するか否かを判定するグループ特定情報判定手段（たとえば、図３３と図３７と図３９のＳＸ２１９）と、
該グループ特定情報判定手段により一致するとの判定が行なわれたことに基づいて、前記取外し可能状態にする制御を行なう解除制御手段（たとえば、図３３と図３７と図３９のＳＸ２２１〜ＳＸ２２４、ＳＸ２３１）とを、含むことを特徴とする。
【手続補正１８】
【補正対象書類名】明細書
【補正対象項目名】００２７
【補正方法】変更
【補正の内容】
【００２７】
このような構成によれば、あるグループに属する複数の遊技用装置に亘って遊技媒体受入部を取外すにおいて、遊技場の係員は、そのグループに属している遊技用装置に対してグループ内解除要求の操作を行なうことにより、そのグループ内に属する複数の遊技用装置における遊技媒体受入部が取外し可能状態となり、複数の遊技用装置に亘って遊技媒体受入部を取外す作業が容易となる。
【手続補正１９】
【補正対象書類名】明細書
【補正対象項目名】００２８
【補正方法】変更
【補正の内容】
【００２８】
（１１）  上記（１０）の遊技用装置において、
遊技用装置の各々についていずれのグループに属させるかの割振りをするためのグループ設定手段（たとえば、図２３に示した玉受皿解除グループ設定を行なう入力装置１１０６と表示装置１０７）と、遊技用装置との間における通信が確立されたことに基づいて、前記グループ設定手段により割振られたグループを特定可能なグループ特定情報を、当該遊技用装置に対して送信するグループ特定情報送信手段（たとえば、図３２のＳＸ１０６）と、を含む管理装置（たとえば、システムコントローラ１１００）に対し、通信を行なう通信手段（たとえば、通信部３３４）をさらに含み、
該通信手段は、前記グループ特定情報送信手段から送信されたグループ特定情報を受信し（たとえば、図３２のＳ１０６で送信されてきた玉受皿解除グループＩＤを受信し）、
前記グループ特定情報記憶手段は、前記通信手段にて受信されたグループ特定情報を記憶する（たとえば、図３２のＳＸ１０７）ことを特徴とする。
【手続補正２０】
【補正対象書類名】明細書
【補正対象項目名】００３０
【補正方法】変更
【補正の内容】
【００３０】
（１２）  上記（１０）または（１１）の遊技用装置において、
前記解除要求受付手段は、当該遊技用装置の前記遊技媒体受入部のみを個別に前記取外し可能状態にするための個別解除要求の操作を受付け（たとえば、図２５と図３３と図３７と図３９のＳＸ２１５）、
前記解除制御手段は、前記解除要求受付手段により前記個別解除要求が受付けられたことに基づいて、前記取外し可能状態にする制御を行なう（たとえば、図２５と図３３と図３７と図３９のＳＸ２２１〜ＳＸ２２４、ＳＸ２３１）ことを特徴とする。
【手続補正２１】
【補正対象書類名】明細書
【補正対象項目名】００３２
【補正方法】変更
【補正の内容】
【００３２】
（１３）  上記（１０）〜（１２）の遊技用装置において、
前記解除要求受付手段は、携帯端末（たとえば、リモコン１０１０）から送信された信号であって、当該携帯端末所持者の個人識別用情報を含む解除要求信号を受信し（たとえば、図２５と図３３と図３７と図３９のＳＸ２１１）、
前記遊技用装置は、
前記解除要求受付手段により受信された解除要求信号に含まれる個人識別用情報に基づいて認証を行なう認証手段（たとえば、図２５と図３３と図３７と図３９のＳＸ２１３）を含み、
該認証手段により適正であることの認証が行なわれたことを条件に、当該解除要求信号に従った制御を実行する（たとえば、図２５と図３３と図３７と図３９のＳＸ２１３でＹＥＳと判定されたことを条件にＳＸ２１５以降の制御を実行する）ことを特徴とする。